(57)【要約】【課題】分析用ディスクとそれ以外のディスクの判別に関し、早期段階で分析用ディスクとして判別できないことにより、分析用ディスク以外のディスクの判別の場合に不要な分析用ディスク処理を共有してしまう為、起動までの処理時間が長くなってしまう。【解決手段】使用ディスクがドライブに装着された後からフォーカス制御が開始されるまでに、ディスク判別手段を用いて分析用ディスクの判別を完了することにより、使用ディスクに応じた処理を選択可能となり、起動までの処理時間を短縮することができる。【選択図】  図１
2004347392.tif 000002
【特許請求の範囲】
【請求項１】
回転するディスク上に設けた螺旋状もしくは同心円上のトラック溝に沿ってレーザ光を照射し、その透過光もしくは反射光を用いて前記ディスク内に展開された試料の分析を行う分析装置において、前記ディスク内の定められた位置に埋め込まれた情報を解析して、前記ディスクの種類を判別する以前に、ディスクの一部に分析対象を配置したディスクと同等な情報を持った透過型分析用ディスクを判別するディスク判別手段を備え、前記ディスク判別手段にて前記分析用ディスクか否かを判定後に前記分析用ディスクと前記分析用ディスク以外のディスクとで異なる処理を行なうことを特徴とした分析装置。
【請求項２】
回転するディスク上に設けた螺旋状もしくは同心円上のトラック溝に沿ってレーザ光を照射し、その透過光もしくは反射光を用いて前記ディスク内に展開された試料の分析を行う分析装置において、前記ディスク内の定められた位置に埋め込まれた情報を解析して、前記ディスクの種類を判別する以前に、ディスクの一部に分析対象を配置した光ディスクと同等な情報を持った透過型分析用ディスクを判別するディスク判別手段を備え、前記ディスク判別手段において前記分析用ディスクか否かを判定後に判定されたディスクの種類に対応した回転数に変更することを特徴とした分析装置。
【請求項３】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を検出する透過光量検出手段を備え、前記透過光量検出手段で検出したディスク透過光量を用いて、前記分析用ディスクを判別する手段を有することを特徴とした分析装置。
【請求項４】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を検出する透過光量検出手段を備え、前記透過光量検出手段で検出したディスク透過光量とディスクの判別基準となる所定の閾値との比較により、前記分析用ディスクを判別する手段を有することを特徴とした分析装置。
【請求項５】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を透過光量検出手段と、前記ディスクを回転させる回転駆動手段と、時間を計測する時間計測手段を備え、ディスク挿入後にレーザ光点灯と同時にディスクを一定時間回転させ、前記一定時間内に透過光量検出手段で検出したディスク透過光量の平均値となる平均透過光量と、ディスクの判別基準となる所定の閾値との比較により、前記分析用ディスクを判別する手段を有することを特徴とした分析装置。
【請求項６】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を検出する透過光量検出手段と、照射したレーザ光の反射光量を検出する反射光量検出手段を備え、検出した透過光量と、反射光量と、ディスクの判別基準となる所定の閾値とを用いて、前記分析用ディスクを判別する手段を有することを特徴とした分析装置。
【請求項７】
請求項３〜６に記載分析装置において、レーザ光の透過光量を検出する透過光量検出手段を、ディスクを挟んだレーザ照射光上に設置していることを特徴とした分析装置。
【請求項８】
請求項３から６記載の分析装置において、レーザ光の半径方向移動手段を備え、ディスクの中心より所定の位置で、検出したディスク透過光量と、ディスクの判別基準となる所定の閾値との比較により、ディスクの種類及び口径を判別する手段を有することを特徴とした分析装置。
【請求項９】
請求項８記載の分析装置において、一部に分析対象を配置され同一円上に分析対象の分析開始位置と分析終了位置を示すマーキングが存在する透過型分析用ディスクを含む使用ディスクに対して、前記マーキングが配置された位置にレーザを移動させてディスクの種類を判別することを特徴とした分析装置。
【請求項１０】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置され同一円上に分析対象の分析開始位置と分析終了位置を示すマーキングが存在する透過型分析用ディスクを含む使用ディスクに対して、前記マーキングを検出する為のフォトセンサを備え、ディスク挿入後にディスクを一定時間回転させ、前記フォトセンサより検出される信号を用いて、ディスクの種類を判別することを特徴とした分析装置。
【請求項１１】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置され同一円上に分析対象の分析開始位置と分析終了位置を示すマーキングが存在する透過型分析用ディスクを含む使用ディスクに対して、前記マーキングを検出する為のフォトセンサと、前記フォトセンサからの出力信号の二値化を行なう二値化手段を備え、前記フォトセンサから検出された出力信号に対して二値化手段にて二値化を行ない、二値化した信号を用いて、ディスクの種類を判別することを特徴とした分析装置。
【請求項１２】
回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置され同一円上に分析対象の分析開始位置と分析終了位置を示すマーキングが存在する透過型分析用光ディスクを含む使用ディスクに対して、前記マーキングを検出する為のフォトセンサと、前記フォトセンサから検出された二値化信号の周期間隔を検出する手段を備え、前記検出手段にて周期間隔の検出を行ない、検出した周期間隔を用いてディスクの種類を判別することを特徴とする分析装置。
【発明の詳細な説明】
【０００１】
【発明の属する技術分野】
本発明は、ＣＤ−ＲＯＭドライブに代表される光ディスク装置の機能を備えた血液などの分析装置であり、特に、ディスクが分析装置に装着された後からフォーカス制御が開始されるまでの間において、分析に使用されるディスクの判別が行なえることを特徴とした分析装置である。
【０００２】
【従来の技術】
従来技術においては、レーザ制御を用いてディスクを判別する手段であり、ディスクにレーザを照射した際にディスクから反射される反射光を受光してディスク判別に用いた装置がある（例えば特許文献１参照。）。
【０００３】
また、同様にレーザ制御を用いてディスクを判別する方法があり、ディスクの中心から８ｃｍ以内においてフォーカス制御を行ない、フォーカス制御が行なえたならばフォーカス制御を維持した状態で、ディスクの中心から８ｃｍ以上の位置の移動を行ないフォーカス制御が維持されるか否か判定し、判定結果においてディスクの口径が８ｃｍ及び１２ｃｍと判定するディスクの口径を判別する装置もある（例えば特許文献２参照。）。
【０００４】
また、フォトセンサを用いてディスクを判別する方法として、フォトセンサの信号の論理情報（ＯＮかＯＦＦ）を用いてディスクの口径を判定する装置がある  （例えば特許文献３参照。）。
【０００５】
【特許文献１】
特開平６−２６７１８１号公報
【特許文献２】
特開平１１−１３４７７９号公報
【特許文献３】
実開平５−９６９４２号公報
【０００６】
【発明が解決しようとする課題】
本発明の分析装置で使用する分析用ディスクは、図８を用いて説明すると、レーザ装置８４から照射されるレーザ光８２の反射光８３が、スタンプＣＤ、ＣＤ−Ｒ、ＣＤ−ＲＷと言われる従来の光ディスクと同等あり、また、反射面が透過性を持っているため、照射されたレーザ光８２が透過光８５となって分析用ディスク８１を透過する。また、図９に示す分析用ディスク９１のように、同一円上に分析対象の分析開始位置と分析終了位置を示すマーキング９１が存在する。また他には、図９の９３に示すようにディスクの内外周で性質が異なるハイブリット仕様（内周はＡＴＩＰ情報が存在する記録済みのＣＤと同様、外周は前記説明の分析ディス）となっている。以後、特に記述がない限り分析ディスクは上記説明内におけるディスク及び機能を含んだディスクとする。
【０００７】
したがって、特許文献１および２のレーザをディスクへ照射した際に得られるレーザ反射光を用いたディスク判別においては、分析ディスクと従来の光ディスクとに違いが生じることがないため判別することはできない。そのため、ディスク内に埋め込まれたディスク情報を取得して解析を行なわない限り分析用ディスクとして認識ができない。よって、メディア情報取得までの図１０のＳ１０２内における処理は共に実行する。
【０００８】
ここで分析用装置は、分析用ディスクか否かを判定するまでの間、安全性を再優先させるため、分析用ディスクに合わせた処理を行なう。それにより、従来の光ディスクにおいては必要な処理は行なわないため、分析用ディスクでない場合には、分析用ディスクでないと判定後に図１０のＳ１０３に示す調整漏れの実行を行なうことで処理時間が長くなる。また他には、分析用ディスクに合わせた処理を行なうため、安全性を考慮した回転数において処理が行なわれる。したがって、分析用ディスクでない場合には処理速度落とすこととなり、結果として処理時間が長くなる。
【０００９】
また、フォーカス制御を用いて口径を判別する特許文献２では、フォーカス制御が必要なため、判定までにフォーカス制御を行なう時間を要する。また、フォーカス制御は前記同様にディスクからのレーザ反射光を用いるため分析ディスクを判別することはできない。
【００１０】
また、フォトセンサを用いて判別する特許文献３では、分析ディスクにレーザの透過性質があるため信号はＯＮの状態となる。したがって、信号の論理情報からでは分析ディスクを判定することはできない。
【００１１】
【課題を解決するための手段】
前記課題を解決するために請求項１に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、前記ディスク内の定められた位置に埋め込まれた情報（反射面、Ｗｏｂｂｌｅ情報）を解析して、前記ディスクの種類を判別する以前に、ディスクの一部に分析対象を配置したディスクと同等な情報を持った透過型分析用ディスクを判別するディスク判別手段を備え、前記ディスク判別手段にて前記分析用ディスクか否かを判定後に前記分析用ディスクと前記分析用ディスク以外のディスクとで異なる処理を行なうことを特徴としたものであり、前記分析用ディスク専用の処理を行なうことにより、前記分析用ディスク以外のディスクにおいても専用の処理が行なうことができ、各ディスクにおいて処理時間を短縮することができる。
【００１２】
また、請求項２に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、前記ディスク内の定められた位置に埋め込まれた情報を解析して、前記ディスクの種類を判別する以前に、ディスクの一部に分析対象を配置した光ディスクと同等な情報を持った透過型分析用ディスクを判別するディスク判別手段を備え、前記ディスク判別手段において前記分析用ディスクか否かを判定後に判定されたディスクの種類に対応した回転数に変更することを特徴としたものであり、前記分析用ディスクと、前記分析用ディスク以外のディスクとで回転数を変更することで、各ディスクにおける最速処理の回転数を設定できるので、処理時間を短縮することができる。
【００１３】
また、請求項３に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を検出する透過光量検出手段を備え、前記透過光量検出手段で検出したディスク透過光量を用いて、前記分析用ディスクを判別する手段を有することを特徴としたものであり、早期段階で前記分析用ディスクを判別することができ、ディスクに対応した処理を実行することができる。
【００１４】
また、請求項４に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を検出する透過光量検出手段を備え、前記透過光量検出手段で検出したディスク透過光量とディスクの判別基準となる所定の閾値との比較により、前記分析用ディスクを判別する手段を有することを特徴としたものであり、早期段階で前記分析用ディスクを判別することができ、ディスクに対応した処理を実行することができる。
【００１５】
また、請求項５に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を透過光量検出手段と、前記ディスクを回転させる回転駆動手段と、時間を計測する時間計測手段を備え、ディスク挿入後にレーザ光点灯と同時にディスクを一定時間回転させ、前記一定時間内に透過光量検出手段で検出したディスク透過光量の平均値となる平均透過光量と、ディスクの判別基準となる所定の閾値との比較により、前記分析用ディスクを判別する手段を有することを特徴としたものであり、早期段階で前記分析用ディスクを判別することができ、ディスクに対応した処理を実行することができる。
【００１６】
また、請求項６に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置した透過型分析用ディスクを含む使用ディスクに対して照射したレーザ光のディスク透過光量を検出する透過光量検出手段と、照射したレーザ光の反射光量を検出する反射光量検出手段を備え、検出した透過光量と、反射光量と、ディスクの判別基準となる所定の閾値とを用いて、前記分析用ディスクを判別する手段を有することを特徴としたものであり、早期段階で前記分析用ディスクを判別することができ、ディスクに対応した処理を実行することができる。
【００１７】
また、請求項７に記載の分析装置は、請求項３〜６に記載分析装置において、レーザ光の透過光量を検出する透過光量検出手段を、ディスクを挟んだレーザ照射光上に設置しているものであり、レーザ照射光上に透過光量検出手段が存在するため、余分な部品が必要ない。また、最短で透過光を検出するため外部からの影響が少なくてすむ。
【００１８】
また、請求項８に記載の分析装置は、請求項３から６記載の分析装置において、レーザ光の半径方向移動手段を備え、ディスクの中心より所定の位置で、検出したディスク透過光量と、ディスクの判別基準となる所定の閾値との比較により、ディスクの種類及び口径を判別する手段を有することを特徴としたものであり、ディスクの中心より８ｃｍから１２ｃｍの間となる位置で判別を行なうことで、ディスクの種類だけでなくディスクの口径も判別できる。
【００１９】
また、請求項９に記載の分析装置は、請求項８記載の分析装置において、一部に分析対象を配置され同一円上に分析対象の分析開始位置と分析終了位置を示すマーキングが存在する透過型分析用ディスクを含む使用ディスクに対して、前記マーキングが配置された位置にレーザを移動させてディスクの種類を判別することを特徴としたものであり、早期段階で前記分析用ディスクを判別することができ、ディスクに対応した処理を実行することができる。
【００２０】
また、請求項１０に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置され同一円上に分析対象の分析開始位置と分析終了位置を示すマーキングが存在する透過型分析用ディスクを含む使用ディスクに対して、前記マーキングを検出する為のフォトセンサを備え、ディスク挿入後にディスクを一定時間回転させ、前記フォトセンサより検出される信号を用いて、ディスクの種類を判別することを特徴としたものであり、早期段階で前記分析用ディスクを判別することができ、ディスクに対応した処理を実行することができる。
【００２１】
また、請求項１１に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置され同一円上に分析対象の分析開始位置と分析終了位置を示すマーキングが存在する透過型分析用ディスクを含む使用ディスクに対して、前記マーキングを検出する為のフォトセンサと、前記フォトセンサからの出力信号の二値化を行なう二値化手段を備え、前記フォトセンサから検出された出力信号に対して二値化手段にて二値化を行ない、二値化した信号を用いて、ディスクの種類を判別することを特徴としたものであり、早期段階で前記分析用ディスクを判別することができ、ディスクに対応した処理を実行することができる。
【００２２】
また、請求項１２に記載の分析装置は、回転するディスク上に設けた螺旋状もしくは同心円上のトラック溝に沿ってレーザ光を照射し、その透過光もしくは反射光を用いて前記ディスク内に展開された試料の分析を行う分析装置において、一部に分析対象を配置され同一円上に分析対象の分析開始位置と分析終了位置を示すマーキングが存在する透過型分析用光ディスクを含む使用ディスクに対して、前記マーキングを検出する為のフォトセンサと、前記フォトセンサから検出された二値化信号の周期間隔を検出する手段を備え、前記検出手段にて周期間隔の検出を行ない、検出した周期間隔を用いてディスクの種類を判別することを特徴とするものであり、早期段階で前記分析用ディスクを判別することができ、ディスクに対応した処理を実行することができる。
【００２３】
【発明の実施の形態】
以下本発明の実施の形態について、図面を参照しながら説明する。
【００２４】
（実施の形態１）
本発明の請求項１〜７記載の分析装置に対応する実施の形態１について図１、２及び図１０を用いて説明する。
【００２５】
図１は、実施の形態１の分析装置における構成図である。特徴としては、従来の光ディスク装置の基本構成に、使用するディスク１５に対して照射したレーザ１３の透過光を検出する透過光検出部１１と検出した信号の信号処理部１２が備えられている。
【００２６】
使用されるディスク１５が装着された後、装着されたディスク１５をドライバＩＣ１４から所定の回転数で回転するように制御を行ない、１２ｃｍディスクの範囲内において、ディスク１５に対してレーザ１３の照射を行ない透過光検出部１１で透過光量を検出する。信号処理部１２とＣＰＵ１６を用いて、検出した透過光量の一定時間内における平均値を求める。求めた透過光量の平均値と分析用ディスクを検出する閾値とを比較して、分析用ディスクか否かを判断する。分析用ディスクを検出する閾値には、上限値と下限値の２種類を用意し、“閾値（下限値）＜分析ディスク透過光＜閾値（上限値）”ならば分析用ディスクと判定する。また、透過光量が閾値の上限を超えると分析装置が対応するディスクが無いと判断する。以上が図２に示すＳ２１のメディア判別処理部分にあたる。
【００２７】
図２におけるディスク判別処理部分において（Ｓ２１）、分析用ディスクか否かの判別を行なった後、分析用ディスクと判別したならば分析用ディスクの処理を実行していく（Ｓ２２）。また、分析用ディスク以外のディスクと判別したならばそのディスク専用の処理を実行していく（Ｓ２３）。
【００２８】
また、分析用ディスク判別処理後に共通する処理の部分を共有することでソースコードの削減を行なうこともできる。例えば、図２で示すＳ２４と図１０で示すＳ１０４のフォーカス制御、トラッキング制御部分である。
さらに、分析用ディスク判別処理後に分析用ディスクとそれ以外のディスクで起動処理中の回転速度を変更することも可能である。例えば、分析用ディスクならば４００ＲＰＭでＣＤ系のディスクであるならば１６００ＲＰＭに変更する。
【００２９】
また、透過光量の測定と同時にディスクからのレーザ反射光量も測定しておくことにより、分析用ディスクを判定するだけでなく、その他のディスクの種類も同時に判別することができることは言うまでもない。
【００３０】
（実施の形態２）
本発明の請求項８〜９記載の分析装置に対応する実施の形態２について図３及び図４を用いて説明する。実施の形態２における基本構成は、実施の形態１と同様のため省略する。
【００３１】
図３はディスク３１が分析装置に装着された状態であり、図４は実施の形態２における処理のフローチャートである。
【００３２】
使用されるディスク３１が装着された後、レーザ３３を所定の位置となる３２の場所から、ディスクの中心より８ｃｍから１２ｃｍの範囲内となる位置へ移動させる（図４−Ｓ４１）。移動後、移動した位置においてレーザの照射を行ない透過光量の測定する。測定した透過光量が、分析用ディスクを検出する２個の閾値（上限値）、閾値（下限値）と比較して“閾値（上限値）＜測定した透過光量”ならば、８ｃｍディスクもしくはディスク無しとして判定し（図４−Ｓ４１）、２個の閾値との関係が、“閾値（下限値）＜測定した透過光量＜閾値（上限値）”ならば、分析用ディスクと判定し（図４−Ｓ４２）、それ以外ならばその他の１２ｃｍディスクと判定する（図４−Ｓ４３）。判定後、更にディスクの中心より８ｃｍ以内の位置７４に移動して（図４−Ｓ４４）、再び透過光量の測定を行なう。測定した透過光量が、前記２個の閾値と比較して大きいならばディスク無しと判別を確定し（図４−Ｓ４５）、“閾値（下限値）＜測定した透過光量＜閾値（上限）”ならば、分析用ディスクと判別を確定し（図４−Ｓ４６）、それ以外の場合は最初の結果より８ｃｍ判定していたならば８ｃｍディスクと判別を確定し（（図４−Ｓ４７）、分析用ディスクと判定していたならハイブリット仕様の分析用ディスクと判別を確定し（図４−Ｓ４８）、それ以外ならその他の１２ｃｍディスクと判別を確定する（図４−Ｓ４９）。
【００３３】
また、透過光量の測定を行なう位置を、図１０で示すようにマーキングが存在する位置としても同様の効果を得ることができる。
【００３４】
さらに、前記説明した移動方法にスッテピングモータを使用することにより移動の精度をより高めることが可能となる。
【００３５】
（実施の形態３）
本発明の請求項１０〜１２記載の分析装置に対応する実施の形態３について図５〜７を用いて説明する。
実施の形態３では、図５に示す分析用ディスクの同一円上に配置された分析対象の分析開始位置と分析終了位置を示めすマーキング５１から信号を取得できる位置へフォトセンサ５２を備え、使用するディスクが装着された後にディスクを一定時間回転させ、備え付けたフォトセンサ５２から信号を検出する。検出された信号は、分析用ディスクの透過性質より図６で示す信号６２のようにマーキングが存在する位置と存在しない位置において出力が異なり、その信号６２を図５の信号処理部５３で、所定のスライスレベルにおいての二値化を行ない、図６の二値化信号６３を生成する。その後、生成した二値化信号を用いて分析用ディスクか否かの判別を行なう。
【００３６】
請求項１２においては、図７で示すように時間検出部７１を備え、前記説明の二値化信号のＬｏｗ（もしくはＨｉ）区間の時間を測定し、測定で求めた時間から分析用ディスクか否かの判別を行なうことが可能となる。
【００３７】
【発明の効果】
以上のように本発明における実施の形態１の分析装置によれば、分析用ディスク判別には反射光を利用するフォーカス制御も必要ないため、ディスク装着後、直ぐに実行できることで、早い段階における分析用ディスクの判定が可能となる。判別後の処理においては、分析用ディスクならば図１０におけるＳ１０１の判別処理時間の短縮になり、分析ディスク以外のディスクならば回転数を上げて記録系の調整等（Ｓ１０３）を含む処理（Ｓ１０２）を実行することで処理時間の短縮を行なうことができる。
【００３８】
また、本発明における実施の形態２の分析装置によれば、分析用ディスク判別を行なうと同時にディスクの有無及びディスクの口径の判別も行なうことが可能となる。
【００３９】
また、本発明における実施の形態３の分析装置によれば、フォトセンサを用いることによりレーザを点灯する必要が無く、素早い段階での分析用ディスク判別が可能となる。
【図面の簡単な説明】
【図１】本発明の実施の形態１における、分析装置構成を示す図
【図２】本発明の実施の形態１における、処理のフローチャート
【図３】本発明の実施の形態２における、移動処理動作を示す図
【図４】本発明の実施の形態２における、処理のフローチャート
【図５】本発明の実施の形態３における、分析装置構成を示す図
【図６】本発明の実施の形態３において検出する、二値化信号図（１）
【図７】本発明の実施の形態３において検出する、二値化信号図（２）
【図８】分析用ディスク説明図（１）
【図９】分析用ディスク説明図（２）
【図１０】従来発明における、処理のフローチャート
【符号の説明】
１１、３１  透過光量検出部
１２、５３  信号処理部
１３、３３、８４  レーザ
１４  ドライバＩＣ
１５  使用ディスク
１６  ＣＰＵ
３２  所定位置
３４  ディスク８ｃｍ内における位置
５１、６１、９１  マーキング
６２  フォトセンサからの信号
６３  二値化信号
７１  時間検出部
８１、９２  分析用ディスク
８２  レーザ照射光
８３  レーザ反射光
８５  レーザ透過光
９３  外周と性質が異なる内周エリア
Ｓ２１  メディア判別１
Ｓ２２  分析用ディスクの処理
Ｓ２３  分析用ディスク以外の処理
Ｓ２４、Ｓ１０４  フォーカス、トラッキング制御
Ｓ４０  移動処理１（８〜１２ｃｍ）
Ｓ４１  メディア無し及び８ｃｍディスク判定
Ｓ４２  分析用ディスク判定
Ｓ４３  その他１２ｃｍディスク判定
Ｓ４４  移動処理２（〜８ｃｍ）
Ｓ４５  ディスク無し確定
Ｓ４６  分析用ディスク確定
Ｓ４７  ８ｃｍディスク確定
Ｓ４８  分析用ディスク（ハイブリット仕様）確定
Ｓ４９  その他１２ｃｍディスク確定
Ｓ１０１  メディア判別２
Ｓ１０２  ディスク情報取得までの処理
Ｓ１０３  ＣＤ系用処理
【図１】
2004347392.tif 000003
【図２】
2004347392.tif 000004
【図３】
2004347392.tif 000005
【図４】
2004347392.tif 000006
【図５】
2004347392.tif 000007
【図６】
2004347392.tif 000008
【図７】
2004347392.tif 000009
【図８】
2004347392.tif 000010
【図９】
2004347392.tif 000011
【図１０】
2004347392.tif 000012